(57)【特許請求の範囲】
【請求項１】
基地局から通信エリア内の全ての移動局に向けて、同じ情報を繰り返して伝送する同報通信システムであって、
基地局は、
外部から入力した情報の先頭から後尾まで、所定サイズのデータを順次抽出して分割化データをそれぞれ生成し、該分割化データの全てに通し番号を付加して出力すると共に、前記通し番号の全てを出力する情報分割化部と、
該情報分割化部から出力された分割化データの伝送順を決定し、該決定した伝送順に分割化データの通し番号を出力する伝送順序制御部と、
前記情報分割化部から出力された全ての分割化データを保存し、前記伝送順序制御部から伝送順に出力された通し番号に従って、前記保存した分割化データを読み出して出力する分割化データ保持部と、
該分割化データ保持部から出力された分割化データを、通信エリア内の全ての移動局に向けて同報通信により一斉に送信する基地局同報通信制御部と、から構成され、
移動局は、
前記基地局の基地局同報通信制御部から同報通信により送信された分割化データの受信に際し、前記分割化データを正しく受信できたか否かを判定し、前記分割化データを正しく受信できなかったと判定した場合には、ナック信号を前記基地局へ送信し、前記分割化データを正しく受信できた場合には、受信した分割化データを出力する移動局同報通信制御部と、
該移動局同報通信制御部から出力された分割化データを保存し、前記全ての分割化データを保存すると、該保存した全ての分割化データを読み出して出力する分割化データ保存部と、
該分割化データ保存部から出力された全ての分割化データを、該分割化データに付加された通し番号に基づいて再合成し、元の情報に復元する情報再合成部と、から構成されており、
前記基地局の基地局同報通信制御部は、移動局の移動局同報通信制御部から送信されたナック信号を検出したか否かを判定し、
前記伝送順序制御部は、前記情報から生成された全ての分割化データを伝送する中で、前記基地局同報通信制御部がナック信号を検出したと判定した場合、次に同一の情報を伝送するときの前記分割化データの伝送順を並び替え、前記全ての分割化データのうち移動局により正しく受信できなかった全ての分割化データが、正しく受信できた分割化データよりも先に送信されるように伝送順を決定し、該決定した伝送順に分割化データの通し番号を出力する、ことを特徴とする同報通信システム。
【請求項２】
請求項１に記載の同報通信システムにおいて、
前記基地局の基地局同報通信制御部は、移動局の移動局同報通信制御部からナック信号の搬送波を受信したときに、前記ナック信号を検出したと判定する、ことを特徴とする同報通信システム。
【請求項３】
請求項１に記載の同報通信システムにおいて、
前記基地局の基地局同報通信制御部は、移動局の移動局同報通信制御部からナック信号を受信したときに、前記ナック信号を検出したと判定する、ことを特徴とする同報通信システム。
【請求項４】
請求項１から３までのいずれか一項に記載の同報通信システムにおいて、
前記移動局の移動局同報通信制御部は、前記分割化データを正しく受信できなかったと判定した場合には、ナック信号を前記基地局へ送信し、前記分割化データを正しく受信できたと判定した場合には、前記基地局へ何らの応答をしないで、受信した分割化データを出力する、ことを特徴とする同報通信システム。
【請求項５】
請求項１から４までのいずれか一項に記載の同報通信システムにおいて、
前記基地局の情報分割化部は、外部から入力した情報の先頭から後尾まで、所定サイズのデータを順次抽出して分割化データをそれぞれ生成し、該分割化データの全てに通し番号及び前記生成した分割化データの数を示す分割数を付加して出力すると共に、前記通し番号の全て及び分割数を出力し、
前記基地局の伝送順序制御部は、情報分割化部から出力された分割化データの伝送順を、情報分割化部から出力された全ての通し番号及び分割数に基づいて決定し、該決定した伝送順に分割化データの通し番号を出力し、前記情報から生成された全ての分割化データを伝送する中で、前記基地局同報通信制御部がナック信号を検出したと判定した場合、次に同一の情報を伝送するときの前記分割化データの伝送順を並び替え、前記全ての分割化データのうち移動局により正しく受信できなかった全ての分割化データが、正しく受信できた分割化データよりも先に送信されるように伝送順を決定し、該決定した伝送順に分割化データの通し番号を出力し、
前記移動局の分割化データ保存部は、移動局同報通信制御部から出力された分割化データに付加された通し番号及び分割数に基づいて、前記全ての分割化データを保存し、該保存した全ての分割化データを読み出して出力する、ことを特徴とする同報通信システム。
【請求項６】
基地局から通信エリア内の全ての移動局に向けて、同じ情報を繰り返して伝送する同報通信システムの前記基地局であって、
外部から入力した情報の先頭から後尾まで、所定サイズのデータを順次抽出して分割化データをそれぞれ生成し、該分割化データの全てに通し番号を付加して出力すると共に、前記通し番号の全てを出力する情報分割化部と、
該情報分割化部から出力された分割化データの伝送順を決定し、該決定した伝送順に分割化データの通し番号を出力する伝送順序制御部と、
前記情報分割化部から出力された全ての分割化データを保存し、前記伝送順序制御部から伝送順に出力された通し番号に従って、前記保存した分割化データを読み出して出力する分割化データ保持部と、
該分割化データ保持部から出力された分割化データを、通信エリア内の全ての移動局に向けて同報通信により一斉に送信する基地局同報通信制御部と、から構成されており、
前記基地局同報通信制御部は、移動局が分割化データを正しく受信できたか否かを、前記移動局からの応答の検出により判定し、
前記伝送順序制御部は、前記情報から生成された全ての分割化データを伝送する中で、前記基地局同報通信制御部により、移動局が分割化データを正しく受信できなかったと判定した場合、次に同一の情報を伝送するときの前記分割化データの伝送順を並び替え、前記全ての分割化データのうち移動局により正しく受信できなかった全ての分割化データが、正しく受信できた分割化データよりも先に送信されるように伝送順を決定し、該決定した伝送順に分割化データの通し番号を出力する、ことを特徴とする基地局。
【請求項７】
請求項６の基地局から通信エリア内の全ての移動局に向けて、同じ情報を繰り返して伝送する同報通信システムの前記移動局であって、
前記情報を構成する複数のデータにより生成され、その通し番号がそれぞれ付加された分割化データを前記基地局から受信し、前記分割化データを正しく受信できたか否かを判定し、前記分割化データを正しく受信できなかったと判定した場合には、ナック信号を前記基地局へ送信し、前記分割化データを正しく受信できた場合には、受信した分割化データを出力する移動局同報通信制御部と、
該移動局同報通信制御部から出力された分割化データを保存し、前記全ての分割化データを保存すると、該保存した全ての分割化データを読み出して出力する分割化データ保存部と、
該分割化データ保存部から出力された全ての分割化データを、該分割化データに付加された通し番号に基づいて再合成し、元の情報に復元する情報再合成部と、から構成されており、
前記移動局同報通信制御部が分割化データを正しく受信できなかったと判定し、ナック信号を前記基地局へ送信することにより、前記基地局に、前記分割化データの伝送順を並び替えさせ、前記情報から生成された全ての分割化データのうち正しく受信できなかった全ての分割化データを、正しく受信できた分割化データよりも先に送信させる、ことを特徴とする移動局。
【発明の詳細な説明】
【技術分野】
【０００１】
本発明は、基地局から複数の移動局へ向けて同じ情報を繰り返し伝送する同報通信システムに関し、特に、移動局において受信誤りが発生した場合に、移動局から再送要求を受信した基地局が、効率良く情報を伝送する同報通信システムに関する。
【背景技術】
【０００２】
従来、電波によって近距離エリア内の通信を実現する技術として、例えば、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭域通信）が知られている。このＤＳＲＣは、主に、走行中の車両に搭載した移動局と路側に設置した基地局との間で無線通信を行う路車間通信方式における狭域通信であり、元々は高速道路の自動料金支払いシステム（ＥＴＣ）を実現するための通信技術として開発されたものである。現在は、ＥＴＣに限らず、駐車場の利用情報の管理や物流における配送トラックの管理等のように、車両とその周辺に存在する施設等とを連携させたサービスに応用されている。また、このような様々なサービスを実現するＤＳＲＣによるシステムは、「ＡＲＩＢ  ＳＴＤ−Ｔ７５」と呼ばれる通信規格に準拠して設計されている（非特許文献１，２を参照）。
【０００３】
このＤＳＲＣは、基地局と複数の移動局との間の通信を時分割多重で行う方式を採用しており、基地局が所定の情報（例えば道路交通情報）を複数の移動局へ伝送する場合、基地局は、その情報を複数の分割化データに分割し、分割化データをそれぞれ送信し、各移動局は、基地局が送信した分割化データをそれぞれ受信し、分割化データを再合成することにより元の情報に復元するようになっている。
【０００４】
また、ＤＳＲＣには、個別通信と同報通信の２種類の通信方法がある。個別通信は、基地局から送信された分割化データを１台の移動局が受信するものである。この個別通信により、特定の送信先となる移動局のみに所定の情報を伝送することができる。一方、同報通信は、基地局から送信された分割化データを通信エリア内の全ての移動局が受信するものである。この同報通信により、通信エリア内の全ての移動局に対し、同じ情報を同じタイミングで伝送することができる。
【０００５】
また、ＤＳＲＣには、基地局が所定の時刻に情報の伝送を行い、移動局が情報の伝送が終了した時点で再伝送を要求する情報伝送方式がある。さらに、基地局が同じ内容の情報を繰り返して伝送する情報伝送方式もある。
【０００６】
これらの通信方法及び情報伝送方式のうち、基地局が通信エリア内の全ての移動局に対し同報通信により同じ情報を繰り返し伝送する同報通信システムについて説明する。図１５は、従来の同報通信システムの情報伝送手法を説明する図である。まず、基地局は、移動局へ伝送すべき情報を複数の分割化データに分割し、その分割化データを順番に移動局へ送信する。図１５では、伝送すべき情報を、１から１０までの通し番号で示す分割化データに分割し、最初に通し番号１の分割化データを送信し、次に通し番号２の分割化データを送信し、同様にして通し番号３から１０までの分割化データをそれぞれ順番に送信している。そして、基地局は、通し番号１から１０までの分割化データの送信が終了すると、同様に、既に分割されている通し番号１から１０までの分割化データの送信を開始する。すなわち、基地局は、通し番号１から１０までの分割化データからなる１巡目の情報の伝送が終了すると、同じ分割化データからなる２巡目の情報の伝送を開始する。このようにして、基地局は、情報を分割して複数の分割化データを生成し、分割化データを順番に送信することを繰り返すことにより、同じ情報を巡回毎に繰り返して移動局へ伝送する。ここで、移動局は、同じ情報の伝送を繰り返し受けることになり、しかも、巡回毎に受信する分割化データの順番も変わることなく同じになる。
【０００７】
ここで、図１５に示すように、移動局は、１巡目の通し番号１〜６，８〜１０の分割化データを正しく受信することができ、通し番号７の分割化データを正しく受信することができなかった場合、２巡目の通し番号７の分割化データを正しく受信した時点で、通し番号１から１０までの分割化データを再合成して元の情報に復元することができる。つまり、１巡目の終了時点では、通し番号７の分割化データを正しく受信できていないから、分割化データを再合成して元の情報に復元することができない。元の情報に復元するには、２巡目の通し番号７の分割化データを受信するまで待たなければならない。
【０００８】
また、移動局において分割化データを正しく受信することができなかった場合に、その受信誤りが発生した分割化データをできる限り早期に受信するための通信システムが知られている（特許文献１を参照）。この通信システムは、基地局から通信エリア内の全ての移動局に向けて同報通信により同じ情報を伝送するシステムにおいて、移動局が分割化データを正しく受信することができなかった場合、基地局とその移動局との間で個別通信を行い、受信誤りが発生した分割化データを個別通信により受信して元の情報に復元する。図１５に示した例では、移動局は、１巡目の通し番号７の分割化データを正しく受信できなかった場合に、１巡目の情報の伝送が終了した時点で基地局との間で個別通信を行い、通し番号７の分割化データを受信することにより、分割化データを再合成して元の情報に復元する。
【０００９】
【非特許文献１】狭域通信（ＤＳＲＣ）システム標準規格  ＡＲＩＢ  ＳＴＤ−Ｔ７５、（社）電波産業界
【非特許文献２】伊川雅彦他、「ＤＳＲＣの多目的利用を実現する路車間通信の環境に適した通信プロトコルの設計と実装」、２００５年電子情報通信学会論文誌、Ｖｏｌ．Ｊ８８−Ａ  Ｎｏ．２、ｐ．２１８−ｐ．２２７
【特許文献１】特開２００５−５７３２６号公報
【発明の開示】
【発明が解決しようとする課題】
【００１０】
しかしながら、前者の例（受信誤りが発生した場合であっても、基地局が以前と同じ順番で分割化データを送信する例）では、移動局が、例えば１巡目の最後に送信されてきた分割化データを正しく受信できなかった場合に、２巡目の最後の送信されてくる分割化データの受信を待たなければ、分割化データを再合成して元の情報に復元することができない。このため、分割化データの受信誤りが発生してから、その分割化データを正しく受信して元の情報に復元するまでに時間がかかるという問題があった。
【００１１】
また、後者の例（受信誤りが発生した場合、個別通信を行う例）では、移動局で分割化データの受信誤りが発生した場合、その移動局と基地局との間で個別通信を行う必要がある。このため、受信誤りが発生していない移動局は、その個別通信が終了するのを待たなければ、分割化データを受信することができない。このため、他の移動局にて受信誤りが発生した場合には、その受信誤りが発生してから、基地局から分割化データを受信して元の情報に復元するまで時間がかかるという問題があった。
【００１２】
そこで、本発明はこのような問題に鑑みてなされたものであり、その目的は、基地局から通信エリア内の全ての移動局に向けて同じ情報を繰り返し伝送する同報通信システムにおいて、移動局にて受信誤りが発生した場合であっても、同報通信により効率良く情報を伝送可能な同報通信システム、基地局及び移動局を提供することにある。
【課題を解決するための手段】
【００１３】
前記課題を解決するために、本発明の同報通信システムは、基地局から通信エリア内の全ての移動局に向けて、同じ情報を繰り返して伝送する同報通信システムであって、基地局が、外部から入力した情報の先頭から後尾まで、所定サイズのデータを順次抽出して分割化データをそれぞれ生成し、該分割化データの全てに通し番号を付加して出力すると共に、前記通し番号の全てを出力する情報分割化部と、該情報分割化部から出力された分割化データの伝送順を決定し、該決定した伝送順に分割化データの通し番号を出力する伝送順序制御部と、前記情報分割化部から出力された全ての分割化データを保存し、前記伝送順序制御部から伝送順に出力された通し番号に従って、前記保存した分割化データを読み出して出力する分割化データ保持部と、該分割化データ保持部から出力された分割化データを、通信エリア内の全ての移動局に向けて同報通信により一斉に送信する基地局同報通信制御部と、から構成され、移動局が、前記基地局の基地局同報通信制御部から同報通信により送信された分割化データの受信に際し、前記分割化データを正しく受信できたか否かを判定し、前記分割化データを正しく受信できなかったと判定した場合には、ナック信号を前記基地局へ送信し、前記分割化データを正しく受信できた場合には、受信した分割化データを出力する移動局同報通信制御部と、該移動局同報通信制御部から出力された分割化データを保存し、前記全ての分割化データを保存すると、該保存した全ての分割化データを読み出して出力する分割化データ保存部と、該分割化データ保存部から出力された全ての分割化データを、該分割化データに付加された通し番号に基づいて再合成し、元の情報に復元する情報再合成部と、から構成されており、前記基地局の基地局同報通信制御部が、移動局の移動局同報通信制御部から送信されたナック信号を検出したか否かを判定し、前記伝送順序制御部が、前記情報から生成された全ての分割化データを伝送する中で、前記基地局同報通信制御部がナック信号を検出したと判定した場合、次に同一の情報を伝送するときの前記分割化データの伝送順を並び替え、前記全ての分割化データのうち移動局により正しく受信できなかった全ての分割化データが、正しく受信できた分割化データよりも先に送信されるように伝送順を決定し、該決定した伝送順に分割化データの通し番号を出力する、ことを特徴とする。
【００１４】
また、本発明の同報通信システムは、前記基地局の基地局同報通信制御部が、移動局の移動局同報通信制御部からナック信号の搬送波を受信したときに、前記ナック信号を検出したと判定する、ことを特徴とする。
【００１５】
また、本発明の同報通信システムは、前記基地局の基地局同報通信制御部が、移動局の移動局同報通信制御部からナック信号を受信したときに、前記ナック信号を検出したと判定する、ことを特徴とする。
【００１６】
また、本発明の同報通信システムは、前記移動局の移動局同報通信制御部が、前記分割化データを正しく受信できなかったと判定した場合には、ナック信号を前記基地局へ送信し、前記分割化データを正しく受信できたと判定した場合には、前記基地局へ何らの応答をしないで、受信した分割化データを出力する、ことを特徴とする。
【００１７】
また、本発明の同報通信システムは、前記基地局の情報分割化部が、外部から入力した情報の先頭から後尾まで、所定サイズのデータを順次抽出して分割化データをそれぞれ生成し、該分割化データの全てに通し番号及び前記生成した分割化データの数を示す分割数を付加して出力すると共に、前記通し番号の全て及び分割数を出力し、前記基地局の伝送順序制御部が、情報分割化部から出力された分割化データの伝送順を、情報分割化部から出力された全ての通し番号及び分割数に基づいて決定し、該決定した伝送順に分割化データの通し番号を出力し、前記情報から生成された全ての分割化データを伝送する中で、前記基地局同報通信制御部がナック信号を検出したと判定した場合、次に同一の情報を伝送するときの前記分割化データの伝送順を並び替え、前記全ての分割化データのうち移動局により正しく受信できなかった全ての分割化データが、正しく受信できた分割化データよりも先に送信されるように伝送順を決定し、該決定した伝送順に分割化データの通し番号を出力し、前記移動局の分割化データ保存部が、移動局同報通信制御部から出力された分割化データに付加された通し番号及び分割数に基づいて、前記全ての分割化データを保存し、該保存した全ての分割化データを読み出して出力する、ことを特徴とする。
【００１８】
また、本発明の基地局は、基地局から通信エリア内の全ての移動局に向けて、同じ情報を繰り返して伝送する同報通信システムの前記基地局であって、外部から入力した情報の先頭から後尾まで、所定サイズのデータを順次抽出して分割化データをそれぞれ生成し、該分割化データの全てに通し番号を付加して出力すると共に、前記通し番号の全てを出力する情報分割化部と、該情報分割化部から出力された分割化データの伝送順を決定し、該決定した伝送順に分割化データの通し番号を出力する伝送順序制御部と、前記情報分割化部から出力された全ての分割化データを保存し、前記伝送順序制御部から伝送順に出力された通し番号に従って、前記保存した分割化データを読み出して出力する分割化データ保持部と、該分割化データ保持部から出力された分割化データを、通信エリア内の全ての移動局に向けて同報通信により一斉に送信する基地局同報通信制御部と、から構成されており、前記基地局同報通信制御部が、移動局が分割化データを正しく受信できたか否かを、前記移動局からの応答の検出により判定し、前記伝送順序制御部が、前記情報から生成された全ての分割化データを伝送する中で、前記基地局同報通信制御部により、移動局が分割化データを正しく受信できなかったと判定した場合、次に同一の情報を伝送するときの前記分割化データの伝送順を並び替え、前記全ての分割化データのうち移動局により正しく受信できなかった全ての分割化データが、正しく受信できた分割化データよりも先に送信されるように伝送順を決定し、該決定した伝送順に分割化データの通し番号を出力する、ことを特徴とする。
【００１９】
また、本発明の移動局は、前記基地局から通信エリア内の全ての移動局に向けて、同じ情報を繰り返して伝送する同報通信システムの前記移動局であって、前記情報を構成する複数のデータにより生成され、その通し番号がそれぞれ付加された分割化データを前記基地局から受信し、前記分割化データを正しく受信できたか否かを判定し、前記分割化データを正しく受信できなかったと判定した場合には、ナック信号を前記基地局へ送信し、前記分割化データを正しく受信できた場合には、受信した分割化データを出力する移動局同報通信制御部と、該移動局同報通信制御部から出力された分割化データを保存し、前記全ての分割化データを保存すると、該保存した全ての分割化データを読み出して出力する分割化データ保存部と、該分割化データ保存部から出力された全ての分割化データを、該分割化データに付加された通し番号に基づいて再合成し、元の情報に復元する情報再合成部と、から構成されており、前記移動局同報通信制御部が分割化データを正しく受信できなかったと判定し、ナック信号を前記基地局へ送信することにより、前記基地局に、前記分割化データの伝送順を並び替えさせ、前記情報から生成された全ての分割化データのうち正しく受信できなかった全ての分割化データを、正しく受信できた分割化データよりも先に送信させる、ことを特徴とする。
【発明の効果】
【００２０】
以上のように、本発明によれば、基地局が巡回毎に情報を繰り返して伝送する同報通信システムにおいて、移動局にて受信誤りが発生した場合、基地局は、次の巡回の情報を伝送するときに、受信誤りが発生した分割化データを最初に送信するようにした。これにより、移動局は、受信誤りが発生した分割化データを、次の巡回の情報の伝送において最初に受信することができる。したがって、巡回毎に同じ送信順序で分割化データを受信する従来の同報通信システムに比べて、分割化データの受信誤りが発生したときから、その分割化データを正しく受信して元の情報に復元するまでの間の時間を短縮することができる。また、分割化データの受信誤りが発生した場合に移動局と基地局との間の個別通信を行う必要がないから、他の移動局は、個別通信が終了するまで待つことなく、基地局から分割化データを受信することができる。つまり、移動局にて受信誤りが発生した場合であっても、同報通信により効率良く情報を伝送可能な同報通信システム、基地局及び移動局を実現することができる。
【発明を実施するための最良の形態】
【００２１】
以下、本発明を実施するための最良の形態について図面を用いて詳細に説明する。
［概要］
本発明の実施の形態による同報通信システムは、基地局から通信エリア内の全ての移動局に向けて、同報通信により同じ情報を繰り返し伝送する通信システムに関するものである。基地局が、移動局へ伝送すべき情報を複数のデータに分割して分割化データを生成し、その分割化データを所定の順番で送信する。伝送すべき情報を構成する全ての分割化データについて、１巡目の送信が終了（１巡目の情報の伝送が終了）すると、引き続き２巡目の送信を開始（２順目の情報の伝送を開始）し、このような巡回を、伝送すべき情報が変更されるまで繰り返す。ここで、移動局が分割化データを受信することができなかった場合、基地局が、次の巡回における分割化データの順番を並び替え、その受信できなかった分割化データを最初に送信するようにしたことを特徴とするものである。
【００２２】
図１４は、本発明の実施の形態による情報伝送手法の概要を説明する図である。図１４において、移動局が１巡目の通し番号７の分割化データを受信できなかった場合、基地局は、２巡目の情報を伝送する際に、分割化データの順番を並び替え、受信誤りが発生した通し番号７の分割化データを最初に送信するように変更する。すなわち、基地局は、１巡目の情報伝送において、通し番号１〜１０の順番で分割化データを送信し、２巡目の情報伝送において、通し番号７，１〜６，８〜１０の順番で分割化データを送信する。これにより、分割化データを受信できなかった移動局は、次の巡回にてその分割化データを最初に受信するから、次の巡回の最初の分割化データを受信した時点にて全ての分割化データを再合成し元の情報に復元することができる。つまり、移動局は、受信誤りが発生した分割化データを短時間で受信できるから、同報通信システムは、個別通信を用いることなく同報通信のみにより、効率良く情報を伝送することができる。
【００２３】
［構成］
次に、本発明の実施の形態による同報通信システムの構成について説明する。図１は、本発明の実施の形態による同報通信システムの概略構成を示す図である。図２は、図１の同報通信システムにおける基地局及び移動局の構成を示すブロック図である。
【００２４】
図１を参照して、この同報通信システム１は、１台の基地局２と複数台の移動局３−１，３−２〜３−ｎ（以下、個々の移動局を総称して移動局３という。）とにより構成され、基地局２と移動局３との間の通信としてＤＳＲＣが適用され、通信エリアＥ内で実現するものである。
【００２５】
図２を参照して、この基地局２は、移動局３へ送信すべき情報を複数のデータに分割して分割化データを生成する情報分割化部２１と、送信すべき情報を構成する全分割化データを保持する分割化データ保持部２２と、基地局２が移動局３へ送信する分割化データの送信順序を制御する伝送順序制御部２３と、分割化データを所定の順番で送信すると共に、送信した分割化データが移動局３において正しく受信されなかったことを示すナック（Ｎａｃｋ）を受信する基地局同報通信制御部２４とを備えている。また、移動局３は、基地局２から分割化データを受信し、分割化データを受信できなかった場合にナックを返信する移動局同報通信制御部３１と、全分割化データを保存する分割化データ保存部３２と、全分割化データを再合成して元の情報に復元する情報再合成部３３とを備えている。
【００２６】
図３は、図２に示した基地局２における伝送順序制御部２３の構成を示すブロック図である。この伝送順序制御部２３は、情報分割化部２１から全通し番号及び分割数を入力し、基地局同報通信制御部２４からナック受信フラグを入力し、基地局２が送信する分割化データの送信順序を決定し、その順序に従って送信順の通し番号を分割化データ保持部２２に出力する機能を有する。また、伝送順序制御部２３は、この機能を実現するために、全通し番号及び分割数を入力し、通し番号を内部メモリ２３１に書き込む通し番号書き込み部２３２と、基地局２が送信する分割化データの送信順に通し番号が格納された内部メモリ２３１と、ナック受信フラグを入力し、内部メモリ２３１に格納された通し番号の順序を変更して並び替える通し番号並び替え部２３４と、内部メモリ２３１から通し番号を読み出して出力する通し番号読み出し部２３３とを備えている。
【００２７】
図２に戻って、分割化データ保持部２２は、情報分割化部２１から全分割化データを入力して保存し、伝送順序制御部２３から送信順の通し番号を入力し、その通し番号の分割化データを読み出し、送信順の分割化データとして基地局同報通信制御部２４に出力する。
【００２８】
図４は、図２に示した基地局２における基地局同報通信制御部２４の構成を示すブロック図である。この基地局同報通信制御部２４は、移動局３へ送信するタイミングを示す送信指示を伝送順序制御部２３に出力し、分割化データ保持部２２から送信順の分割化データを入力し、送信用の分割化データを生成して移動局３へ送信すると共に、移動局３から送信された、分割化データを正しく受信できなかったことを示すナックを検出し、ナック受信フラグとして伝送順序制御部２３に出力する機能を有する。また、基地局同報通信制御部２４は、この機能を実現するために、送信部２４１、受信部２４２、送受共用器２４３及び送信指示部２４７を備えている。受信部２４２は、ＡＧＣ回路２４４、ＤＳＲＣ復調回路２４５及びＡＣＫＣ受信レベル検出回路２４６を備えている。
【００２９】
送信部２４１は、分割化データ保持部２２から入力した送信順の分割化データに対し、パケットヘッダ等の制御データからなるユニークワードを先頭に付加し、誤り検出符号を後尾に付加することにより送信用の分割化データを生成し、その送信用の分割化データを、送受共用器２４３及びアンテナ（図示せず）を介して移動局３へ送信する。また、分割化データの通し番号を受信部２４２のＡＣＫＣ受信レベル検出回路２４６に出力する。送受共用器２４３は、送信部２４１と受信部２４２とを絶縁し、送信部２４１から送信用の分割化データを入力し、アンテナ（図示せず）を介して送信すると共に、同じアンテナを介して移動局３からの信号を受信し、受信部２４２に出力する。
【００３０】
受信部２４２のＡＧＣ回路２４４は、移動局３からアンテナ（図示せず）及び送受共用器２４３を介して信号を受信し、増幅率を自動調整することにより、受信信号を一定レベルに調整して出力すると共に、自動調整の増幅率から算出した受信レベルをＡＧＣ情報に変換して出力する。ＤＳＲＣ復調回路２４５は、ＡＧＣ回路２４４で一定レベルに調整された受信信号を入力し、復調する。ＡＣＫＣ受信レベル検出回路２４６は、ＡＧＣ回路２４４からＡＧＣ情報を入力し、アックチャネル（ＡＣＫＣ）について、その受信レベルが所定レベル以上である場合、移動局３からナックを検出したとして（ナックを受信したものとみなして）ナック受信フラグを設定し、送信部２４１から入力した通し番号と共に伝送順序制御部２３に出力する。ここで、アックチャネルは、個別通信において、移動局３が正しく受信できた、または、正しく受信できなかったことを返信するために用いられ、同報通信には用いられない。本発明の実施の形態では、基地局２が、このアックチャネルを用いることにより、移動局３における受信誤りの発生を判定する。具体的には、移動局３は、分割化データを正しく受信できなかった場合にのみ、アックチャネルを用いてナックを送信し、基地局２は、そのアックチャネルを監視することにより、ナックを検出する。つまり、移動局３は、分割化データを正しく受信できた場合にアックチャネルを用いてアック（Ａｃｋ）を送信するのが通常であるが、本発明の実施の形態では、移動局３が分割化データを正しく受信できた場合にアックを送信しないように構成するようにした。これにより、アックチャネルの受信レベルだけで移動局３からナックが送信されたことを検出することが可能となる。また、送信指示部２４７は、所定の周期にて送信指示を伝送順序制御部２３に出力する。
【００３１】
［動作］
次に、本発明の実施の形態による同報通信システムの動作について説明する。図５は、  分割化データを生成して送信するまでの流れを説明するための図である。図６〜１２は、それぞれ情報分割化部２１、分割化データ保持部２２、伝送順序制御部２３、基地局同報通信制御部２４、移動局同報通信制御部３１、分割化データ保存部３２、情報再合成部３３による処理のフローを示す図である。図１３は、全体的なデータフローを示す図である。
【００３２】
（情報分割化部の処理）
まず、同報通信システム１を構成する基地局２における情報分割化部２１の処理ついて説明する。図６を参照して、基地局２の情報分割化部２１は、移動局３へ伝送すべき情報を外部のサーバ等から入力すると（ステップＳ６０１）、通し番号Ｓを初期化するため、通し番号Ｓに０を設定する（ステップＳ６０２）。そして、情報分割化部２１は、通し番号Ｓをインクリメントしながら分割化データの生成が終了するまで（ステップＳ６０３、ステップＳ６０６）、入力した情報を、その情報を構成するデータ列の先頭から後尾まで、予め決められた所定のサイズのデータに分割して抽出する（ステップＳ６０４、図５（１）（２）を参照）。そして、その抽出したデータに通し番号を付与し、先頭にヘッダ領域を後尾にペイロード領域を設けた分割化データを生成する（ステップＳ６０５、図５（３）（４）を参照）。具体的には、情報分割化部２１は、分割数及び通し番号Ｓ（先頭の分割化データから数えて何番目の位置の分割化データになるかを示す番号）等の移動局３にて情報の復元のために必要なデータをヘッダ領域に格納し、抽出したデータ自身をペイロード領域に格納することにより、分割化データを生成する（図５（４）を参照）。図５の例では、分割数が１０の場合を示している。
【００３３】
また、情報分割化部２１は、全ての分割化データの生成が終了したと判定した場合（ステップＳ６０６：Ｙ）、分割したデータの数（分割数Ｍｍａｘ）に、そのときのＳを設定する（ステップＳ６０７）。一方、全ての分割化データの生成が終了していないと判定した場合（ステップＳ６０６：Ｎ）、通し番号ＳをインクリメントするステップＳ６０３へ移行する。
【００３４】
そして、情報分割化部２１は、全ての分割化データを分割化データ保持部２２に順番に出力し（ステップＳ６０８）。全ての通し番号を伝送順序制御部２３に順番に出力すると共に、分割数も伝送順序制御部２３に出力する（ステップＳ６０９）。尚、外部から入力する情報、全分割化データ、全通し番号及び分割数についての各データフローは、図１３のステップＳ６０１、ステップＳ６０８及びステップＳ６０９を参照されたい。そして、情報分割化部２１は、外部から新たな情報を入力するまで待ち、新たな情報を入力すると、前述した処理を再度実行する（ステップＳ６０１〜ステップＳ６０９）。
【００３５】
（分割化データ保持部の処理）
次に、基地局２における分割化データ保持部２２の処理について説明する。図７を参照して、基地局２の分割化データ保持部２２は、情報分割化部２１から全分割化データを入力すると（ａ、図６のステップＳ６０８を参照）、以前に入力して保持している全分割化データを廃棄し（ステップＳ７０１）、新たに入力した全分割化データを保持する（ステップＳ７０２）。
【００３６】
そして、分割化データ保持部２２は、伝送順序制御部２３から出力される送信順の通し番号の入力を待ち（ｄ、後述する図８のステップＳ８０７を参照）、送信順の通し番号を入力すると（ステップＳ７０３）、その通し番号をヘッダ領域に有する分割化データを、ステップＳ７０２にて保持した全分割化データの中から読み出し（ステップＳ７０４）、その読み出した分割化データを、送信順の分割化データとして基地局同報通信制御部２４に出力する（ステップＳ７０５）。また、分割化データ保持部２２は、伝送順序制御部２３から送信順の通し番号を入力する毎に（ステップＳ７０３）、ステップＳ７０４及びステップＳ７０５の処理を実行する。尚、送信順の通し番号及び送信順の分割化データについての各データフローは、図１３のステップＳ７０３及びステップＳ７０５を参照されたい。
【００３７】
（伝送順序制御部の処理）
次に、基地局２における伝送順序制御部２３の処理について説明する。図８を参照して、基地局２における伝送順序制御部２３の通し番号書き込み部２３２は、情報分割化部２１から出力される全通し番号及び分割数の入力を待ち（ｂ、図６のステップＳ６０９を参照）、全通し番号及び分割数を入力すると（ステップＳ８０１）、内部メモリ２３１に既に書き込まれている全通し番号を更新する（ステップＳ８０２）。具体的には、通し番号書き込み部２３２は、内部メモリ２３１に既に書き込まれている全通し番号を破棄し、新たに入力した全通し番号を、入力した順番に、内部メモリ２３１の後述するアドレスＭ（１〜）の位置に書き込む。
【００３８】
また、伝送順序制御部２３の通し番号読み出し部２３３は、アドレス番号Ｍを初期化するため、アドレス番号Ｍに０を設定し（ステップＳ８０３）し、基地局同報通信制御部２４から出力される送信指示の入力を待つ（ｃ、後述する図９のステップＳ９０１を参照）。通し番号読み出し部２３３は、送信指示を入力すると（ステップＳ８０４）、アドレス番号Ｍをインクリメントし（ステップＳ８０５）、内部メモリ２３１のアドレスＭに書き込まれた通し番号を読み出し（ステップＳ８０６）、読み出した通し番号を送信順の通し番号として分割化データ保持部２２に出力する（ステップＳ８０７）。
【００３９】
また、伝送順序制御部２３の通し番号並び替え部２３４は、基地局同報通信制御部２４から出力されるナック受信フラグ及び通し番号の入力を待ち（ｆ、後述する図９のステップＳ９０９）、ナック受信フラグ及び通し番号を入力すると（ステップＳ８０８）、そのナック受信フラグＣが１であるか否かを判定し（ステップＳ８０９）、ナック受信フラグＣが１であると判定した場合（ステップＳ８０９：Ｙ）、内部メモリ２３１のアドレス番号１〜Ｍに書き込まれている通し番号をそれぞれ読み出し、アドレスＭから読み出した通し番号がステップＳ８０８にて入力した通し番号と一致することを確認し、アドレスＭから読み出した通し番号をアドレス１に書き込み、アドレス１〜Ｍ−１から読み出した通し番号をアドレス２〜Ｍにそれぞれ書き込むことにより、通し番号の並び替えを行う（ステップＳ８１０）。一方、ナック受信フラグＣが０であると判定した場合（ステップＳ８０９：Ｎ）、ステップＳ８１１へ移行する。
【００４０】
尚、情報を伝送する同じ巡回の中で、複数の受信誤りが発生した場合には、最新に（巡回の中で最も遅く）受信誤りが発生した分割化データの通し番号が内部メモリ２３１のアドレス１に書き込まれ、その前に受信誤りが発生した分割化データの通し番号がアドレス２に書き込まれることになる。この場合、同じ巡回の中で最初に（最も早く）受信誤りが発生した分割化データの通し番号がアドレス１に、その次に受信誤りが発生した分割化データの通し番号がアドレス２に書き込まれるようにしてもよい。
【００４１】
そして、伝送順序制御部２３の通し番号読み出し部２３３は、アドレスＭが分割数であるか否かを判定し（ステップＳ８１１）、アドレスＭが分割数でないと判定した場合（ステップＳ８１１：Ｎ）、ステップＳ８０４へ移行し、次の送信指示に従って次のアドレスＭの通し番号出力処理等を行う。一方、アドレスＭが分割数であると判定した場合（ステップＳ８１１：Ｙ）、ステップＳ８０３へ移行し、次の巡回における送信指示に従って送信順の通し番号出力処理等を行う。尚、全通し番号及び分割数、送信指示、送信順の通し番号、並びにナック受信フラグについての各データフローは、図１３のステップＳ８０１、ステップＳ８０４、ステップＳ８０７及びステップＳ８０８を参照されたい。
【００４２】
（基地局同報通信制御部の処理）
次に、基地局２における基地局同報通信制御部２４の処理について説明する。図９を参照して、基地局２における基地局同報通信制御部２４の送信指示部２４７は、所定の周期にて送信指示を伝送順序制御部２３に出力する（ステップＳ９０１）。また、基地局同報通信制御部２４の送信部２４１は、分割化データ保持部２２から出力される送信順の分割化データの入力を待ち（ｅ、図７のステップＳ７０５を参照）、送信順の分割化データを入力すると（ステップＳ９０２）、入力した分割化データのヘッダ領域から通し番号を抽出し（ステップＳ９０３）、入力した分割化データの先頭に、パケットヘッダ等の制御データからなるユニークワードを付加し、分割化データの後尾に誤り検出符号を付加することにより送信用の分割化データを生成し（図５（５）を参照）、送受共用器２４３及びアンテナを介して送信する（ステップＳ９０４）。
【００４３】
また、受信部２４２のＡＣＫＣ受信レベル検出回路２４６は、ナック受信フラグＣを初期化するため、ナック受信フラグＣに０を設定する（ステップＳ９０５）。そして、ＡＣＫＣ受信レベル検出回路２４６は、移動局３が分割化データを正しく受信できなかった場合に送信するナックの受信及び検出を行う（ｈ、後述する図１０のステップＳ１００３を参照、ステップＳ９０６）。ここで、受信部２４２のＡＧＣ回路２４４は、移動局３により送信された信号を、アンテナ及び送受共用器２４３を介して受信し、増幅率を自動調整することにより、受信信号を一定レベルに調整して出力すると共に、自動調整の増幅率から算出した受信レベルをＡＧＣ情報に変換して出力する。
【００４４】
そして、ＡＣＫＣ受信レベル検出回路２４６は、ＡＧＣ回路２４４からＡＧＣ情報を入力し、アックチャネルについて、その受信レベルが所定レベル以上であるか否かを判定する（ステップＳ９０７）。すなわち、ナックを検出したか否かを、所定レベル以上の搬送波が存在するか否かにより判定する。ここで、アックチャネルは、前述したように、移動局３が分割化データを正しく受信できなかった場合にのみナックを送信するチャネルであり、それ以外の用途には用いられない。したがって、ＡＣＫＣ受信レベル検出回路２４６においてアックチャネルの受信レベルが所定レベル以上であることは、移動局３からナックが送信されたことを意味する。これは、１台の移動局３がナックを送信し、基地局２がそのナックを受信した場合のみならず、複数台の移動局３がナックをそれぞれ送信し、基地局２がそれらのナックを受信した場合にも適用することができる。基地局２が複数の移動局３からナックをそれぞれ受信した場合、輻輳によりＤＳＲＣ復調回路２４５においてナックを正しく復調することができないが、ＡＣＫＣ受信レベル検出回路２４６において、入力したＡＧＣ情報の受信レベルが所定レベル以上であることを判定することができ、ナックを検出することができるからである。
【００４５】
ＡＣＫＣ受信レベル検出回路２４６は、ステップＳ９０７において、ナックを検出したと判定した場合、すなわち、受信レベルが所定レベル以上であると判定した場合（ステップＳ９０７：Ｙ）、ナック受信フラグＣに１を設定する（ステップＳ９０８）。一方、ナックを検出しなかったと判定した場合、すなわち、受信レベルが所定レベル以上でないと判定した場合（ステップＳ９０７：Ｎ）、ナック受信フラグＣを０のままにしてステップＳ９０９へ移行する。そして、ＡＣＫＣ受信レベル検出回路２４６は、ナック受信フラグＣ、及びステップＳ９０３にて送信部２４１が抽出した通し番号を伝送順序制御部２３に出力し（ステップＳ９０９）、ステップＳ９０１へ移行する。尚、送信指示、送信順の分割化データ、送信用の分割化データ、ナック、並びに、ナック受信フラグ及び通し番号についての各データフローは、図１３のステップＳ９０１、ステップＳ９０２、ステップＳ９０４、ステップＳ９０６及びステップＳ９０９を参照されたい。
【００４６】
（移動局同報通信制御部の処理）
次に、同報通信システム１を構成する移動局３における移動局同報通信制御部３１の処理について説明する。図１０を参照して、移動局３の移動局同報通信制御部３１は、基地局２からの分割化データの受信を待ち（ｇ、図９のステップＳ９０４を参照、ステップＳ１００１）、分割化データを正しく受信できたか否かを判定する（ステップＳ１００２）。具体的には、分割化データの先頭に付加されたユニークワードを検出できたか否か、及び、分割化データの後尾に付加された誤り検出符号により誤りが発生しているか否かを判定する。ユニークワードを検出できた場合、または、誤りが発生していなかった場合は、分割化データを正しく受信できたものと判定する。一方、ユニークワードを検出できなかった場合、または、誤りが発生していた場合は、分割化データを正しく受信できなかったものと判定する。
【００４７】
移動局同報通信制御部３１は、ステップＳ１００２において、分割化データを正しく受信できたと判定した場合（ステップＳ１００２：Ｙ）、何ら応答を送信しないで、分割化データに付加されたユニークワード及び誤り訂正符号を取り外した分割化データを、分割化データ保存部３２に出力し（ステップＳ１００４）、ステップＳ１００１へ移行する。一方、分割化データを正しく受信できなかったと判定した場合（ステップＳ１００２：Ｎ）、アックチャネルを用いてナックを送信し（ステップＳ１００３）、ステップＳ１００１へ移行する。尚、分割化データの送受信、分割化データ及びナックの各データフローは、図１３のステップＳ１００１、ステップＳ１００４及びステップＳ１００３を参照されたい。
【００４８】
（分割化データ保存部の処理）
次に、移動局３における分割化データ保存部３２の処理ついて説明する。図１１を参照して、移動局３の分割化データ保存部３２は、移動局同報通信制御部３１から出力される分割化データの入力を待ち（ｇ、図１０のステップＳ１００４を参照）、分割化データを入力して保持する（ステップＳ１１０１）。尚、入力した分割化データのヘッダ領域から通し番号を抽出し、その通し番号の分割化データを既に保持している場合は、入力した分割化データをその分割化データに上書きするか、または、入力した分割化データを破棄する。
【００４９】
また、分割化データ保存部３２は、入力した分割化データのヘッダ領域から分割数を抽出し、入力すべき分割化データの数を把握し、その分割数を用いて全分割化データが揃ったか否か、すなわち、全分割化データを入力して保持したか否かを判定する（ステップＳ１１０２）。具体的には、入力した分割化データの数が分割数に至ったか否かを判定する。
【００５０】
分割化データ保存部３２は、ステップＳ１１０２において、全分割化データが揃ったと判定した場合（ステップＳ１１０２：Ｙ）、保持している全分割化データを情報再合成部３３に出力し（ステップＳ１１０３）、ステップＳ１１０１へ移行し、次の巡回の分割化データの入力を待つ。一方、全分割化データが揃っていないと判定した場合（ステップＳ１１０２：Ｎ）、ステップＳ１１０１へ移行し、次の分割化データの入力を待つ。尚、分割化データのデータフローは、図１３のステップＳ１１０１及びステップＳ１１０３を参照されたい。
【００５１】
（情報再合成部処理）
次に、移動局３における情報再合成部３３の処理ついて説明する。図１２を参照して、移動局３の情報再合成部３３は、分割化データ保存部３２から出力される全分割化データの入力を待ち（ｊ、図１１のステップＳ１１０３を参照）、全分割化データを入力する（ステップＳ１２０１）。そして、入力した分割化データのペイロード領域からデータをそれぞれ抽出し（ステップＳ１２０２）、ヘッダ領域から通し番号をそれぞれ抽出し、その通し番号の順に、ステップＳ１２０２にて抽出したデータを再合成することにより、元の情報に復元する（ステップＳ１２０３）。
【００５２】
そして、情報再合成部３３は、復元した情報を外部に出力する（ステップＳ１２０４）。尚、分割化データ及び復元した情報の各データフローは、図１３のステップＳ１２０１及びステップＳ１２０４を参照されたい。
【００５３】
以上のように、本発明の実施の形態による同報通信システム１によれば、移動局３の移動局同報通信制御部３１が、分割化データを正しく受信できなかったと判定した場合、アックチャネルを用いてナックを送信し、基地局２の基地局同報通信制御部２４がナックの受信の際に、基地局同報通信制御部２４のＡＣＫＣ受信レベル検出回路２４６が、アックチャネルの受信レベルが所定レベル以上のときに、移動局３にて分割化データを正しく受信できなかったと判定し、伝送順序制御部２３が、正しく受信できなかった分割化データが次の巡回の情報伝送において最初に送信されるように（正しく受信できた他の分割化データよりも先に送信されるように）、伝送順を並び替えるようにした。これにより、次の巡回の情報伝送において、正しく受信できなかった全ての分割化データが先に送信され、その後に、正しく受信できた他の分割化データが送信されるから、移動局３の移動局同報通信制御部３１は、正しく受信できなかった分割化データを、他の分割化データよりも先に受信することができる。したがって、移動局３は、次の巡回の情報伝送において以前と同じ送信順序で分割化データを受信する従来技術に比べて、分割化データを正しく受信できなかったときからその分割化データを正しく受信するまでの時間を短縮することができる。すなわち、移動局３は、正しく受信できなかった分割化データを再受信するまでの待ち時間が従来よりも短くなる。また、分割化データを正しく受信できなかった移動局３と基地局２との間で個別通信を行う必要がないから、他の移動局３は、情報を取得するために、その個別通信が終了するのを待つ必要がない。例えば、分割化データを正しく受信できなかった移動局３が第１の移動局３及び第２の移動局３であった場合、第２の移動局３は、第１の移動局３による個別通信が終了するまで待つことなく、次の巡回にて分割化データを再受信することができる。また、正しく分割化データを受信している移動局３、及び通信エリアＥに新たに入ってきた移動局３は、情報を受信するために、その個別通信が終了するまで待つ必要がない。つまり、同報通信システム１は、受信誤りが発生した場合であっても、同報通信により効率良く情報を伝送することができる。
【００５４】
また、本発明の実施の形態による同報通信システム１によれば、基地局同報通信制御部２４のＡＣＫＣ受信レベル検出回路２４６が、アックチャネルの受信レベルが所定レベル以上のときに、ナックを検出したものとし、移動局３にて分割化データを正しく受信できなかったと判定するようにした。この場合、受信レベルを用いることにより、移動局３から搬送波が送信されてくるか否かを判定することができ、移動局３からの搬送波を検出したときに、移動局３にて分割化データを正しく受信できなかったと判定することができる。これにより、複数の移動局３にて分割化データを正しく受信できなかった場合、複数の移動局３から送信されるそれぞれのナックにより輻輳が生じるが、ナックが送信されたことを示す搬送波を受信レベルによって検出することができるから、基地局２は、分割化データを正しく受信できなかった複数の移動局３が存在することを認識することができる。
【００５５】
以上、実施の形態を挙げて本発明を説明したが、本発明は上記実施の形態に限定されるものではなく、その技術思想を逸脱しない範囲で種々変形可能である。例えば、前記実施の形態では、基地局同報通信制御部２４のＡＣＫＣ受信レベル検出回路２４６が、ＡＧＣ回路２４４からＡＧＣ情報を入力し、アックチャネルの受信レベルが所定レベル以上のときに、ナックを検出したものとし、移動局３にて分割化データを正しく受信できなかったと判定するようにした。この場合、ＡＣＫＣ受信レベル検出回路２４６の代わりにＤＳＲＣ復調回路２４５が、ＡＧＣ回路２４４から受信信号を入力し、アックチャネルにおいてナックを復調できたか否かを判定することにより、ナックを検出するようにしてもよい。このような判定により、１台の移動局３にて受信誤りが発生し、その移動局３からナックが送信された場合に、そのナックを検出することができる。
【００５６】
また、前記実施の形態では、移動局３にて分割化データを正しく受信できなかった場合、基地局２における伝送順序制御部２３の通し番号並び替え部２３４が、基地局同報通信制御部２４からナック受信フラグ及び通し番号を入力したタイミングで、正しく受信できなかった分割化データの通し番号が先頭になるように、内部メモリ２３１に格納されている通し番号を並び替えるようにした。この場合、通し番号の並び替えのタイミングを、その巡回の全ての分割化データが送信された後とするようにしてもよい。具体的には、通し番号並び替え部２３４が、内部メモリ２３１に格納されている最後の通し番号と、基地局同報通信制御部２４から入力した通し番号とが一致したときに、その巡回の全ての分割化データが送信されたものと判定する。
【図面の簡単な説明】
【００５７】
【図１】本発明の実施の形態による同報通信システムの概略構成を示す図である。
【図２】図１の同報通信システムにおける基地局及び移動局の構成を示すブロック図である。
【図３】図２の基地局における伝送順序制御部の構成を示すブロック図である。
【図４】図２の基地局における基地局同報通信制御部２４の構成を示す図である。
【図５】分割化データを生成して送信するまでの流れを説明するための図である。
【図６】情報分割化部による処理のフローを示す図である。
【図７】分割化データ保持部による処理のフローを示す図である。
【図８】伝送順序制御部による処理のフローを示す図である。
【図９】基地局同報通信制御部による処理のフローを示す図である。
【図１０】移動局同報通信制御部による処理のフローを示す図である。
【図１１】分割化データ保存部による処理のフローを示す図である。
【図１２】情報再合成部による処理のフローを示す図である。
【図１３】全体的なデータフローを示す図である。
【図１４】本発明の実施の形態による情報伝送手法の概要を説明する図である。
【図１５】従来の情報伝送手法を説明する図である。
【符号の説明】
【００５８】
１  同報通信システム
２  基地局
３  移動局
２１  情報分割化部
２２  分割化データ保持部
２３  伝送順序制御部
２４  基地局同報通信制御部
３１  移動局同報通信制御部
３２  分割化データ保存部
３３  情報再合成部
２３１  内部メモリ
２３２  通し番号書き込み部
２３３  通し番号読み出し部
２３４  通し番号並び替え部
２４１  送信部
２４２  受信部
２４３  送受共用器
２４４  ＡＧＣ回路
２４５  ＤＳＲＣ復調回路
２４６  ＡＣＫＣ受信レベル検出回路
２４７  送信指示部
【図１】
0004994180.tif 000002
【図２】
0004994180.tif 000003
【図３】
0004994180.tif 000004
【図４】
0004994180.tif 000005
【図５】
0004994180.tif 000006
【図６】
0004994180.tif 000007
【図７】
0004994180.tif 000008
【図８】
0004994180.tif 000009
【図９】
0004994180.tif 000010
【図１０】
0004994180.tif 000011
【図１１】
0004994180.tif 000012
【図１２】
0004994180.tif 000013
【図１３】
0004994180.tif 000014
【図１４】
0004994180.tif 000015
【図１５】
0004994180.tif 000016